(57)【要約】  車体の端部構造は、左右の側部フレーム部材と、バンパービームと、を備えている。側部フレーム部材は、車体の前部または後部において、車体前後方向に略沿って延びる。バンパービームは、車幅方向に略沿って延び、左右の側部フレーム部材に跨って支持される。バンパービームは、左右の側部フレーム部材に結合されるビーム本体部と、少なくともビーム本体部の車幅方向中央領域において、ビーム本体部よりも上下方向に長く延びる拡張部と、を有している。
2020049635.tif 000002
【特許請求の範囲】
【請求項１】
車体の前部または後部において、車体前後方向に略沿って延びる左右の側部フレーム部材と、
車幅方向に略沿って延び、左右の前記側部フレーム部材に跨って支持されるバンパービームと、を備え、
前記バンパービームは、
左右の前記側部フレーム部材に結合されるビーム本体部と、
少なくとも前記ビーム本体部の車幅方向中央領域において、前記ビーム本体部よりも上下方向に長く延びる拡張部と、を有することを特徴とする車体の端部構造。
【請求項２】
前記拡張部は、前記ビーム本体部と別体部品によって構成され、前記ビーム本体部に結合されていることを特徴とする請求項１に記載の車体の端部構造。
【請求項３】
前記拡張部は、前記ビーム本体部よりも上方に延びる上方延出部と、前記ビーム本体部よりも下方に延びる下方延出部と、を有し、
前記下方延出部と前記上方延出部のいずれか一方の車幅方向外側の端部に切欠き部が設けられていることを特徴とする請求項１または２に記載の車体の端部構造。
【請求項４】
車両前部の車幅方向中央領域において、放熱部品を支持する略矩形状の枠フレームをさらに備え、
前記拡張部は、前記枠フレームの左右の縦フレーム部間の車体前後方向の外側領域を覆うように配置されていることを特徴とする請求項１〜３のいずれか１項に記載の車体の端部構造。
【請求項５】
左右の各前記側部フレーム部材は、
車室領域から前方または後方に延びる第１フレームと、
車室よりも車幅方向外側領域から前方または後方に延びる第２フレームと、を備え、
前記拡張部は、左右の前記第２フレームの車体前後方向外側位置まで車幅方向に延びていることを特徴とする請求項１〜４のいずれか１項に記載の車体の端部構造。
【請求項６】
前記拡張部は、
前記ビーム本体部の車体前後方向の外側部位に結合されるベース部と、
前記ベース部から上方と下方の少なくとも一方に延びる延出部と、を有し、
前記バンパービームは、前記ビーム本体部と前記延出部を連結する延出部支持部材をさらに備え、
前記延出部支持部材は、前記延出部の車体前後方向の内側面に接合される接合フランジを有することを特徴とする請求項１〜４のいずれか１項に記載の車体の端部構造。
【請求項７】
前記延出部は、前記ベース部から上方に延びる上方延出部と、前記ベース部から下方に延びる下方延出部とからなり、
前記上方延出部に接合される前記延出部支持部材と、前記下方延出部に接合される前記延出部支持部材は、略同一形状の部品によって構成されていることを特徴とする請求項６に記載の車体の端部構造。
【請求項８】
前記延出部は、前記ベース部から上方に延びる上方延出部と、前記ベース部から下方に延びる下方延出部とからなり、
前記上方延出部に接合される前記延出部支持部材と、前記下方延出部に接合される前記延出部支持部材とは、前記ビーム本体部の車体前後方向の内側において、連結プレートによって相互に連結され、
前記連結プレートには、上下方向に略沿う補強ビードが形成されていることを特徴とする請求項６または７に記載の車体の端部構造。
【請求項９】
車体の前部または後部において、車体前後方向に略沿って延びる左右の側部フレーム部材と、
車幅方向に略沿って延び、左右の前記側部フレーム部材に跨って支持されるバンパービームと、を備え、
前記バンパービームは、
左右の前記側部フレーム部材に結合されるビーム本体部と、
前記ビーム本体部に取り付けられて、前記ビーム本体部の車体前後方向の外側面と、前記ビーム本体部の上下面を覆うビーム保護部材と、有することを特徴とする車体の端部構造。
【発明の詳細な説明】
【技術分野】
【０００１】
本発明は、衝撃荷重を受け止めるバンパービームを備えた車体の端部構造に関する。
【背景技術】
【０００２】
車両の前後方向の端部には、車幅方向に略沿って延びるバンパービームが設けられている。バンパービームは、車体の前後方向に略沿って延びる左右の側部フレーム部材の端部に支持されている。車体前後方向からバンパービームに入力された衝撃荷重は、左右の側部フレーム部材によって受け止められる。
【先行技術文献】
【特許文献】
【０００３】
【特許文献１】日本国特開２０１０−１８８９６６
【発明の概要】
【発明が解決しようとする課題】
【０００４】
従来の車両の端部構造では、車体前後方向から荷重を受けるバンパービームが略一定の上下幅に形成されている。このため、他の車両等の外部の物体が近接方向に相対移動してきたときに、衝撃荷重を安定して受け止めることができる領域が限られているうえ、外部の物体からの荷重入力点等に局所的な荷重集中を生じ易い。【０００５】
解決しようとする課題は、局所的な荷重集中を回避しつつ、車体前後方向から入力される衝撃荷重を効率良く受け止めることができる車両の端部構造を提供することである。
【課題を解決するための手段】
【０００６】
本出願の一の形態の車体の端部構造は、車体の前部または後部において、車体前後方向に略沿って延びる左右の側部フレーム部材と、車幅方向に略沿って延び、左右の前記側部フレーム部材に跨って支持されるバンパービームと、を備え、前記バンパービームは、左右の前記側部フレーム部材に結合されるビーム本体部と、少なくとも前記ビーム本体部の車幅方向中央領域において、前記ビーム本体部よりも上下方向に長く延びる拡張部と、を有することを特徴とする。【０００７】
上記の構成により、車体前後方向の外側から外部の物体が相対的に近接移動してくると、上下幅の広い拡張部で外部の物体から荷重を受け易くなる。拡張部は、ビーム本体部に比較して上下幅が広いため、ビーム本体部のみで荷重を受ける場合に比較して、荷重を広い面積で効率良く受け止めることができるとともに、荷重が局所に集中するのを防ぐことができる。さらに、上記の構成では、拡張部に入力された衝撃荷重を、ビーム本体部を介して左右の側部フレーム部材に伝達することができるため、車室の前後方向外側に位置される部材が車室方向に変位するのを抑制することができる。【０００８】
前記拡張部は、前記ビーム本体部と別体部品によって構成され、前記ビーム本体部に結合されるようにしても良い。【０００９】
この場合、ビーム本体部と拡張部が別体部品によって構成されているため、拡張部を持たないバンパービームと、拡張部を持つバンパービームとで部品を共用することができる。したがって、本構成を採用することにより、部品の生産効率の向上を図ることができる。【００１０】
前記拡張部は、前記ビーム本体部よりも上方に延びる上方延出部と、前記ビーム本体部よりも下方に延びる下方延出部と、を有し、前記下方延出部と前記上方延出部のいずれか一方の車幅方向外側の端部に切欠き部が設けられている。【００１１】
この場合、上方延出部と下方延出部のいずれかに設けられた切欠き部に、センサやレーダ等を配置することができる。また、センサやレーダ等を拡張部よりも車体前後方向の内側に配置することにより、外部からの入力荷重に対し、拡張部によってセンサやレーダ等を保護することができる。【００１２】
車両の端部構造は、車両前部の車幅方向中央領域において、放熱部品を支持する略矩形状の枠フレームをさらに備え、前記拡張部は、前記枠フレームの左右の縦フレーム部間の車体前後方向の外側領域を覆うように配置されるようにしても良い。【００１３】
この場合、バンパービームの拡張部が放熱部品の車体前後方向の外側を覆うことになるため、放熱部品を拡張部によって保護することができる。【００１４】
左右の各前記側部フレーム部材は、車室領域から前方または後方に延びる第１フレームと、車室よりも車幅方向外側領域から前方または後方に延びる第２フレームと、を備え、前記拡張部は、左右の前記第２フレームの車体前後方向外側位置まで車幅方向に延びるようにしても良い。【００１５】
この場合、上下方向の張り出し幅の広い拡張部が外側の第２フレームの車体前後方向外側位置まで延びているため、他の物体が近接方向に相対移動してきたときに、衝撃荷重を拡張部によって安定して受け止めることができる。特に、他の物体が車幅方向の中央よりも外側に当接するときに、衝撃荷重を拡張部の広い面積で安定的に受け止め、車幅方向外側の第１フレームと第２フレームとに支持させることができる。【００１６】
前記拡張部は、前記ビーム本体部の車体前後方向の外側部位に結合されるベース部と、前記ベース部から上方と下方の少なくとも一方に延びる延出部と、を有し、前記バンパービームは、前記ビーム本体部と前記延出部を連結する延出部支持部材をさらに備え、前記延出部支持部材は、前記延出部の車体前後方向の内側面に接合される接合フランジを有する構成としても良い。【００１７】
この場合、延出部支持部材の接合フランジが、バンパービームの拡張部のうちの延出部を背面側（車体前後方向の内側）から支持することになるため、車両前後方向からの衝撃荷重の入力時に、延出部の倒れを接合フランジによって規制することができる。したがって、車体前後方向から入力される衝撃荷重を拡張部によって効率良く受けとめることができる。【００１８】
前記延出部は、前記ベース部から上方に延びる上方延出部と、前記ベース部から下方に延びる下方延出部とからなり、前記上方延出部に接合される前記延出部支持部材と、前記下方延出部に接合される前記延出部支持部材は、略同一形状の部品によって構成されるようにしても良い。【００１９】
この場合、上方延出部に接合される延出部支持部材と、下方延出部に接合される延出部支持部材とで、同じ部品を共用することができる。したがって、この構成を採用することによって部品の生産効率を高めることができる。また、上記の構成の場合、上方延出部を支持する上側の延出部支持部材と、下方延出部を支持する下側の延出部支持部材が上下で対称に配置されることになるため、拡張部に車体前後方向から衝撃荷重が入力されたときに、上下の延出部支持部材の協働によって衝撃荷重を安定して受け止めることができる。【００２０】
前記延出部は、前記ベース部から上方に延びる上方延出部と、前記ベース部から下方に延びる下方延出部とからなり、前記上方延出部に接合される前記延出部支持部材と、前記下方延出部に接合される前記延出部支持部材とは、前記ビーム本体部の車体前後方向の内側において、連結プレートによって相互に連結され、前記連結プレートには、上下方向に略沿う補強ビードが形成されるようにしても良い。【００２１】
この場合、連結プレートの上下方向の剛性が補強ビードによって高められる。このため、上方延出部や下方延出部の倒れを補強ビードによって確実に規制することができる。【００２２】
本出願の他の形態の車体の端部構造は、車体の前部または後部において、車体前後方向に略沿って延びる左右の側部フレーム部材と、車幅方向に略沿って延び、左右の前記側部フレーム部材に跨って支持されるバンパービームと、を備え、前記バンパービームは、左右の前記側部フレーム部材に結合されるビーム本体部と、前記ビーム本体部に取り付けられて、前記ビーム本体部の車体前後方向の外側面と、前記ビーム本体部の上下面を覆うビーム保護部材と、有することを特徴とする。【００２３】
上記の構成により、車体前後方向の外側から外部の物体が相対的に近接移動してくると、ビーム本体部の車体前後方向の外側面と上下面を覆うビーム保護部材が外部の物体から荷重を受け易くなる。ビーム保護部材は、ビーム本体部に比較して上下幅が広いため、ビーム本体部のみで荷重を受ける場合に比較して、荷重を広い面積で効率良く受け止めることができ、荷重が局所に集中するのを防ぐことができる。さらに、上記の構成では、ビーム保護部材に入力された衝撃荷重を、ビーム本体部を介して左右の側部フレーム部材に伝達することができるため、車室の前後方向外側に位置される部材が車室方向に変位するのを抑制することができる。
【発明の効果】
【００２４】
本発明の車体の端部構造は、バンパービームが、左右の側部フレーム部材に結合されるビーム本体部と、少なくともビーム本体部の車幅方向中央領域において、ビーム本体部よりも上下方向に長く延びる拡張部と、を有する。このため、本発明の車体の端部構造では、車体前後方向からの衝撃荷重の入力時に、局所的な荷重集中を回避しつつ、車体前後方向から入力される衝撃荷重を拡張部で効率良く受け止めることができる。
【図面の簡単な説明】
【００２５】
【図１】実施形態の車両の前部の骨格部を示す斜視図である。
【図２】実施形態の車両の前部の骨格部を示す正面図である。
【図３】実施形態の車両の前部の骨格部を示す上面図である。
【図４】実施形態のバンパービームの図２のＩＶ−ＩＶ線に沿う断面図である。
【図５】実施形態のバンパービームの斜視図である。
【図６】実施形態のバンパービームの背面図である。
【図７】他の実施形態の車両の前部の骨格部を示す正面図である。
【発明を実施するための形態】
【００２６】
以下、本発明の実施形態を、図面を参照して説明する。なお、以下の説明において、前後や上下、左右については、特別に断らない限り車両についての前後や上下、左右を意味するものとする。また、図中の矢印ＦＲは車両の前方を指し、矢印ＵＰは車両の上方を指し、矢印ＬＨは車両の左側方を指すものとする。
【００２７】
図１は、実施形態の車両１の前部の骨格部を示す斜視図である。また、図２は、車両１の前部の骨格部の正面図であり、図３は、車両１の前部の骨格部の上面図である。
本実施形態の車両１は、車体の前部に、車体前後方向に略沿って延びる左右一対のフロントサイドフレーム２（第１フレーム）が設けられている。また、左右のフロントサイドフレーム２の車幅方向外側には、上方側のサスペンション支持部の近傍から前側下方に向かって湾曲して延びるロアメンバ３（第２フレーム）が設けられている。
なお、フロントサイドフレーム２（第１フレーム）は、車室領域から車体前方に延び、ロアメンバ３（第２フレーム）は、車室よりも車幅方向外側領域から車体前方に延びている。また、本実施形態においては、左右のフロントサイドフレーム２とロアメンバ３が車体前部の側部フレーム部材を構成している。
【００２８】
左右同側のフロントサイドフレーム２とロアメンバ３の前端部には、車両前方に向くように垂立するベースプレート４が取り付けられている。ベースプレート４の前面のうちの、フロントサイドフレーム２の延長上位置には、略筒状の第１エクステンション５が取り付けられている。また、ベースプレート４の前面のうちの、ロアメンバ３の前端部と前後方向で重なる位置には、略筒状の第２エクステンション６が取り付けられている。第１エクステンション５と第２エクステンション６の各前端部は、車幅方向に略沿って延びるバンパービーム７の側部背面に結合されている。したがって、バンパービーム７は、車体左右の側部フレーム部材（フロントサイドフレーム２，ロアメンバ３）に跨って支持されている。バンパービーム７の前面側には、図示しない樹脂製のバンパーフェイスが配置されている。
【００２９】
また、左右のフロントサイドフレーム２の前端側には、室外熱交換器やファン等の放熱部品を支持するための枠フレーム８が取り付けられている。枠フレーム８は、正面視が略矩形状に形成されている。枠フレーム８は、車体前部の車幅方向中央領域に配置されている。バンパービーム７は、枠フレーム８の前方を車幅方向に横切って配置されている。
【００３０】
枠フレーム８は、左右の縦フレーム部８ａと、左右の縦フレーム部８ａの上端部同士を連結する上フレーム部８ｂと、左右の縦フレーム部８ａの下端部同士を連結する下フレーム部８ｃと、を有する。室外熱交換器やファン等の放熱部品は、枠フレーム８の開口の内側、若しくは、内側後方に配置されている。
【００３１】
図４は、バンパービーム７の図２のＩＶ−ＩＶ線に沿う断面図であり、図５は、バンパービーム７の右側寄り部分を後斜め上方から見た図である。また、図６は、バンパービーム７の車幅方向の中央領域を背部側（後方側）から見た図である。
バンパービーム７は、左右両側部が第１エクステンション５と第２エクステンション６を介して左右の対応するフロントサイドフレーム２とロアメンバ３（車体左右の側部フレーム部材）に結合されるビーム本体部９と、ビーム本体部９の車幅方向の中央領域に一体に取り付けられた拡張部１０と、を有する。拡張部１０は、例えば、高張力鋼板等の硬質のプレート材によって形成されている。
【００３２】
ビーム本体部９は、車体後方側に開口する略ハット状の断面形状に形成され、その断面が車幅方向に亙って延出している。ビーム本体部９の車幅方向の中央領域は、略一定の上下幅に形成されている。拡張部１０は、ビーム本体部９よりも上下方向に長く延びている。
【００３３】
拡張部１０は、図４に示すように、ビーム本体部９の前面（車体前後方向の外側部位）に結合されるベース部１０ｂと、ベース部１０ｂの上端から車体後方側に傾斜しつつ上方に延びる上方延出部１０ｕと、ベース部１０ｂの下端から車体後方側に傾斜しつつ下方に延びる下方延出部１０ｌと、を有している。ベース部１０ｂは、ビーム本体部９の前面（車体前後方向の外側面）を覆い、上方延出部１０ｕと下方延出部１０ｌは、ビーム本体部９の上面と下面とをそれぞれ覆う。拡張部１０は、ビーム本体部９の車体前後方向の外側面と、上下面とを覆うビーム保護部材を構成している。
【００３４】
また、図４に示すように、ビーム本体部９の車幅方向の中央領域は、上下一対のフランジ部９ｆを有している。これらのフランジ部９ｆは、ビーム本体部９の上下の各水平壁の車体後方側の端部から上方と下方にそれぞれ屈曲して形成されている。ビーム本体部９の上側のフランジ部９ｆは、略Ｚ状断面の支持プレート１１ｕを介して拡張部１０の上方延出部１０ｕの背面に連結されている。ビーム本体部９の下側のフランジ部９ｆは、略Ｚ状断面の支持プレート１１ｌを介して拡張部１０の下方延出部１０ｌの背面に連結されている。支持プレート１１ｕ，１１ｌは、ビーム本体部９と各延出部（上方延出部１０ｕ，下方延出部１０ｌ）を連結する延出部支持部材を構成している。
【００３５】
上側の支持プレート１１ｕは、上方延出部１０ｕの近傍部で上方側に屈曲して延びる接合フランジ１１ｕｆを有し、その接合フランジ１１ｕｆが拡張部１０の上方延出部１０ｕの上端側の背面に溶接等によって接合されている。同様に、下側の支持プレート１１ｌは、下方延出部１０ｌの近傍部で下方側に屈曲して延びる接合フランジ１１ｌｆを有し、その接合フランジ１１ｌｆが拡張部１０の下方延出部１０ｌの下端側の背面に溶接等によって接合されている。上側の支持プレート１１ｕと下側の支持プレート１１ｌは、略同一形状の部品によって構成されている。上側の支持プレート１１ｕと下側の支持プレート１１ｌは、上下を反転させて共通の部品を用いることができる。
【００３６】
また、上側の支持プレート１１ｕと下側の支持プレート１１ｌの後部側の端縁は、ビーム本体部９の後方側において、横長の長方形状の連結プレート１２によって相互に連結されている。なお、上側の支持プレート１１ｕと連結プレート１２の上縁部とビーム本体部９の上側のフランジ部９ｆは、三枚重ねの状態で溶接固定しても良い。同様に、下側の支持プレート１１ｌと連結プレート１２の下縁部とビーム本体部９の上側のフランジ部９ｆも、三枚重ねの状態で溶接固定しても良い。
【００３７】
連結プレート１２には、図５，図６に示すように、上下方向に略沿って延出する補強ビード１３が形成されている。補強ビード１３は、連結プレート１２の長手方向に離間して複数設けられている。
【００３８】
ここで、バンパービーム７の拡張部１０は、図２に示すように、枠フレーム８の左右の縦フレーム部８ａ間の前方領域（車体前後方向の外側領域）を覆うように配置されている。具体的には、車両の前面視で、拡張部１０の左右の端部が、左右の対応する縦フレーム部ａに一部重なるように配置されている。
【００３９】
また、拡張部１０は、図２に示すように、下方延出部１０ｌの車幅方向外側の端部に段差状の切欠き部１４が設けられている。したがって、拡張部１０の下方延出部１０ｌの車幅方向の幅は、上方延出部１０ｕの車幅方向の幅よりも狭くなっている。拡張部１０の左右の切欠き部１４の背部側には、レーダやセンサ等の検知器１５が配置されている。
なお、切欠き部１４は、下方延出部１０ｌの左右一方側の端部にのみ設けるようにしても良い。また、切欠き部１４は、上方延出部１０ｕの車幅方向外側の端部に設けることも可能である。
【００４０】
以上のように、本実施形態の車両の端部構造は、バンパービーム７が、左右のフロントサイドフレーム２やロアメンバ３に結合されるビーム本体部９と、ビーム本体部９の車幅方向中央領域において、ビーム本体部９よりも上下方向に長く延びる拡張部１０を有する。このため、車両前方から他の車両等が相対的に近接移動してくると、上下幅の広い拡張部１０で他の車両等から荷重を受け易くなる。拡張部１０は、ビーム本体部９に比較して上下幅が広いため、ビーム本体部９のみで荷重を受ける場合に比較して、荷重を広い面積で効率良く受け止めることができる。そして、本実施形態の車両１の端部構造では、拡張部１０の広い面積で荷重を受けることができることから、荷重がバンパービーム７の局所に集中するのを防ぐことができる。したがって、本実施形態の端部構造を採用した場合には、車体前方からの衝撃荷重の入力時に局所的な荷重集中を回避しつつ、車体前方から入力される衝撃荷重を拡張部１０で効率良く受け止めることができる。
【００４１】
また、本実施形態の車両１の端部構造では、拡張部１０に入力された衝撃荷重を、ビーム本体部９を介して左右のフロントサイドフレーム２やロアメンバ３に伝達することができるため、車室の前方に位置される部材が車室方向に変位するのを抑制することができる。
【００４２】
また、本実施形態の車両１の端部構造では、拡張部１０がビーム本体部９と別体部品によって構成され、別体部品である拡張部１０がビーム本体部９に対して結合されている。このため、拡張部１０を持たないバンパービームと、拡張部１０を持つバンパービーム７とで部品を共用することができる。したがって、本実施形態の構成を採用した場合には、部品の生産効率の向上を図ることができる。
【００４３】
さらに、本実施形態の車両１の端部構造は、拡張部１０の下方延出部１０ｌの車幅方向の端部に切欠き部１４が設けられ、その切欠き部１４の背部側にレーダやセンサ等の検知器１５が設置されている。このため、車体前部の中央領域に、バンパービーム７の上下幅の広い拡張部１０を配置しても、不都合なく検知器１５を設置することができる。また、検知器１５を拡張部よりも車体後方側に配置することにより、車体前方からの荷重入力に対して検知器１５を保護することができる。
【００４４】
また、本実施形態の車両１の端部構造は、バンパービーム７の拡張部１０が枠フレーム８の左右の縦フレーム部８ａ間の前方領域を覆うように配置されている。このため、車体前方から入力される衝撃荷重に対し、室外熱交換器やファン等の放熱部品を拡張部１０によって保護することができる。
【００４５】
また、本実施形態の車両１の端部構造は、拡張部１０がベース部１０ｂと上方延出部１０ｕと下方延出部１０ｌとを有し、ビーム本体部９に連結された支持プレート１１ｕ，１１ｌの接合フランジ１１ｕｆ，１１ｌｆが、上方延出部１０ｕと下方延出部１０ｌの各背面に接合されている。この場合、支持プレート１１ｕ，１１ｌの接合フランジ１１ｕｆ，１１ｌｆが、拡張部１０上の上方延出部１０ｕと下方延出部１０ｌの各背面を安定して支持することができるため、車両前方からの衝撃荷重の入力時に、上方延出部１０ｕや下方延出部１０ｌの倒れを規制することができる。したがって、本実施形態の車両１の端部構造を採用した場合には、車体前方から入力される衝撃荷重を拡張部１０によってより効率良く受けとめることができる。
【００４６】
加えて、本実施形態では、上方延出部１０ｕと下方延出部１０ｌの各背面を支持する上下の支持プレート１１ｕ，１１ｌが略同一形状の部品によって構成されているため、上下の支持プレート１１ｕ，１１ｌで共通の部品を使用することができる。したがって、この構成を採用した場合には、部品の生産効率を高めることができる。
また、本実施形態の構造では、上下の支持プレート１１ｕ，１１ｌが上下で対称に配置されているため、拡張部１０に車体前方から衝撃荷重が入力されたときに、上下の支持プレート１１ｕ，１１ｌの協働によって衝撃荷重を安定して受け止めることができる。
【００４７】
また、本実施形態の車両１の端部構造は、上下の支持プレート１１ｕ，１１ｌの後部側の端縁が、ビーム本体部９の後方側において、連結プレート１２によって相互に連結され、上下方向に略沿って延びる複数の補強ビード１３が連結プレート１２に設けられている。したがって、本実施形態の車両１の端部構造では、補強ビード１３によって上下方向の剛性を高められた連結プレート１２により、拡張部１０の上方延出部１０ｕや下方延出部１０ｌの倒れを規制することができる。
【００４８】
図７は、他の実施形態の車両１の前部の骨格部を示す正面図である
図７に示す車両の端部構造は、基本的な構成は上記の実施形態とほぼ同様であるが、バンパービーム１０７の拡張部１１０が左右のロアメンバ３の前端部を超える範囲まで車幅方向外側に延びている。
【００４９】
本実施形態の車両１の端部構造では、上下方向の張り出し幅の広い拡張部１１０が、左右の外側のロアメンバ３の前端部位置を超える範囲まで延びているため、車体前方から入力される衝撃荷重を拡張部１１０によってより安定して受け止めることができる。特に、他の車両等が車幅方向の中央よりも外側に偏った位置に当接するときには、衝撃荷重を拡張部１１０の広い面積で安定的に受け止め、車幅方向外側のフロントサイドフレーム２やロアメンバ３に支持させることができる。
【００５０】
なお、本発明は上記の実施形態に限定されるものではなく、その要旨を逸脱しない範囲で種々の設計変更が可能である。例えば、上記の実施形態では、車両の前部の骨格部に本発明に係る車両の端部構造を適用しているが、本発明に係る車両の端部構造は、車両の後部の骨格部にも同様に適用することが可能である。また、バンパービームの拡張部は、ビーム本体部と一体に形成しても良い。
【符号の説明】
【００５１】
２    フロントサイドフレーム（第１フレーム，側部フレーム部材）
３    ロアメンバ（第２フレーム，側部フレーム部材）
７，１０７    バンパービーム
８    枠フレーム
８ａ    縦フレーム部
９    ビーム本体部
１０，１１０    拡張部（ビーム保護部材）
１０ｂ    ベース部
１０ｕ    上方延出部（延出部）
１０ｌ    下方延出部（延出部）
１１ｕ，１１ｌ    支持プレート（延出部支持部材）
１１ｕｆ，１１ｌｆ    接合フランジ
１２    連結プレート
１３    補強ビード
【図１】
2020049635.tif 000003
【図２】
2020049635.tif 000004
【図３】
2020049635.tif 000005
【図４】
2020049635.tif 000006
【図５】
2020049635.tif 000007
【図６】
2020049635.tif 000008
【図７】
2020049635.tif 000009
【手続補正書】
【提出日】令和1年12月5日(2019.12.5)
【手続補正１】
【補正対象書類名】特許請求の範囲
【補正対象項目名】全文
【補正方法】変更
【補正の内容】
【特許請求の範囲】
【請求項１】
車体の前部または後部において、車体前後方向に略沿って延びる左右の側部フレーム部材と、
車幅方向に略沿って延び、左右の前記側部フレーム部材に跨って支持されるバンパービームと、を備え、
前記バンパービームは、
左右の前記側部フレーム部材に結合されるビーム本体部と、
少なくとも前記ビーム本体部の車幅方向中央領域において、前記ビーム本体部よりも上下方向に長く延びる拡張部と、を有し、
前記拡張部は、
前記ビーム本体部よりも上方に延びる上方延出部と、
前記ビーム本体部よりも下方に延びる下方延出部と、を有し、
前記下方延出部と前記上方延出部のいずれか一方の車幅方向外側の端部に切欠き部が設けられている
ことを特徴とする車体の端部構造。
【請求項２】
前記拡張部は、前記ビーム本体部と別体部品によって構成され、前記ビーム本体部に結合されている
ことを特徴とする請求項１に記載の車体の端部構造。
【請求項３】
（削除）
【請求項４】
車両前部の車幅方向中央領域において、放熱部品を支持する略矩形状の枠フレームをさらに備え、
前記拡張部は、前記枠フレームの左右の縦フレーム部間の車体前後方向の外側領域を覆うように配置されている
ことを特徴とする請求項１又は２に記載の車体の端部構造。
【請求項５】
左右の各前記側部フレーム部材は、
車室領域から前方または後方に延びる第１フレームと、
車室よりも車幅方向外側領域から前方または後方に延びる第２フレームと、を備え、
前記拡張部は、左右の前記第２フレームの車体前後方向外側位置まで車幅方向に延びている
ことを特徴とする請求項１，２及び４のいずれか１項に記載の車体の端部構造。
【請求項６】
車体の前部または後部において、車体前後方向に略沿って延びる左右の側部フレーム部材と、
車幅方向に略沿って延び、左右の前記側部フレーム部材に跨って支持されるバンパービームと、を備え、
前記バンパービームは、
左右の前記側部フレーム部材に結合されるビーム本体部と、
少なくとも前記ビーム本体部の車幅方向中央領域において、前記ビーム本体部よりも上下方向に長く延びる拡張部と、を有し、
前記拡張部は、
前記ビーム本体部の車体前後方向の外側部位に結合されるベース部と、
前記ベース部から上方と下方の少なくとも一方に延びる延出部と、を有し、
前記バンパービームは、前記ビーム本体部と前記延出部を連結する延出部支持部材をさらに備え、
前記延出部支持部材は、前記延出部の車体前後方向の内側面に接合される接合フランジを有する
ことを特徴とする車体の端部構造。
【請求項７】
前記延出部は、前記ベース部から上方に延びる上方延出部と、前記ベース部から下方に延びる下方延出部とからなり、
前記上方延出部に接合される前記延出部支持部材と、前記下方延出部に接合される前記延出部支持部材は、略同一形状の部品によって構成されている
ことを特徴とする請求項６に記載の車体の端部構造。
【請求項８】
前記延出部は、前記ベース部から上方に延びる上方延出部と、前記ベース部から下方に延びる下方延出部とからなり、
前記上方延出部に接合される前記延出部支持部材と、前記下方延出部に接合される前記延出部支持部材とは、前記ビーム本体部の車体前後方向の内側において、連結プレートによって相互に連結され、
前記連結プレートには、上下方向に略沿う補強ビードが形成されている
ことを特徴とする請求項６または７に記載の車体の端部構造。
【請求項９】
（削除）
【国際調査報告】
2020049635.tif 000010
2020049635.tif 000011
2020049635.tif 000012
2020049635.tif 000013